(57)【要約】【課題】  内部に軸方向に延在する中空部を有する中空部材どうしを交差させて強固かつ容易に接合できるような中空部材、中空部材の接合構造および接合方法を提供する。【解決手段】  中空部材１０，１０どうしを交差させて接合する接合構造であり、一方の中空部材１０と他方の中空部材１０とが交差して、それぞれの切欠部１４，１４において相欠き接ぎされており、一方の中空部材１０の切欠部１４に露出する仕切壁１２と、他方の中空部材１０の切欠部１４に露出する仕切壁１２とが連結部材１５によって連結されている。よって、中空部材どうしを交差させて強固かつ容易に接合できる。【選択図】        図３
2005023759.tif 000002
【特許請求の範囲】
【請求項１】
内部に軸方向に延在する中空部を有する中空部材本体と、この中空部材本体の内部に軸方向に延在するようにして形成されて、前記中空部を二分する仕切壁とを備えた中空部材であって、
前記仕切壁は、中空部材本体の厚さ方向における中心部から偏心して形成されており、
前記中空部材本体には、切欠き深さが該中空部材本体の厚さの半分と等しい切欠部が、前記中空部材本体の厚さ方向における中心部より前記仕切壁がない側を切り欠くことによって形成されていることを特徴とする中空部材。
【請求項２】
請求項１に記載の中空部材において、
前記中空部材本体の中空部のうち、前記中空部材本体の厚さ方向における中心部より前記仕切壁がない側には、中空部材本体の軸方向に延在する補強壁が形成されていることを特徴とする中空部材。
【請求項３】
請求項１または２に記載の中空部材において、
セルロース系微粉粒と樹脂とを混合して押出成形したものであることを特徴とする中空部材。
【請求項４】
請求項１〜３のいずれか一項に記載の中空部材どうしを交差させて接合する中空部材の接合構造であって、
一方の中空部材と他方の中空部材とが交差して、それぞれの切欠部において相欠き接ぎされており、
前記一方の中空部材の切欠部に露出する仕切壁と、他方の中空部材の切欠部に露出する仕切壁とが連結部材によって連結されていることを特徴とする中空部材の接合構造。
【請求項５】
請求項４に記載の中空部材の接合構造において、
前記連結部材は、前記一方の中空部材の切欠部に露出する仕切壁に固定される固定部と、前記他方の中空部材の切欠部に露出する仕切壁に係止する係止部とを備えていることを特徴とする中空部材の接合構造。
【請求項６】
請求項１〜３のいずれか一項に記載の中空部材どうしを交差させて接合する中空部材の接合方法であって、
まず、一方の中空部材の切欠部に露出する仕切壁に連結部材の固定部を固定するとともに、他方の中空部材の切欠部に露出する仕切壁に、前記連結部材の係止部が係止する被係止部を設けておき、
前記一方の中空部材と他方の中空部材とを交差して、それぞれの切欠部において相欠き接ぎするに際し、
一方の中空部材の切欠部に露出する仕切壁に固定部が固定された連結部材の係止部を、他方の中空部材の切欠部に露出する仕切壁に設けられた被係止部に係止することを特徴とする中空部材の接合方法。
【発明の詳細な説明】
【技術分野】
【０００１】
本発明は、内部に軸方向に延在する中空部を有する中空部材、この中空部材を交差させて接合する接合構造および接合方法に関する。
【背景技術】
【０００２】
内部に軸方向延在する中空部を有する中空部材を交差させて接合する技術の一例として特許文献１に記載の技術が知られている。
【０００３】
この技術は、押出成型によって矩形状中空に形成したアルミ中空桟を多数縦横方向に配設し、各交差位置において十字状になるように接合して桟組みしたものである。
【０００４】
十字状の接合は，各交差位置において相欠き接合を用いることによって行ってあり、即ち各アルミ中空桟は、いずれも長手方向中間の各交差位置に、直行方向に１／２奥行幅とした切欠き加工を施して、この切欠き加工による直交方向の相欠き部を対向して具備したものとしてあり、これら相欠き部を相互に嵌め合せることによって縦横方向に十字状に交差する各表裏を平坦となるようにしてある。
【０００５】
このとき相欠き接合には相欠き部１１の嵌め合せとともに圧入接合部材を用いるものとしてあり，この圧入接合部材を各相欠き部間に介設することによって一対のアルミ中空桟の各相欠き接合を相欠き部の加工誤差に起因するガタツキを防止し安定した接合とし得るようにしてある。
【特許文献１】特開平６−３４１２７８号公報
【発明の開示】
【発明が解決しようとする課題】
【０００６】
上述したように、上記公報に記載の技術では、相欠き部どしを圧入接合部材を介して相欠き接合しているが、この圧入接合部材はアルミの中空部材の内壁に圧接することにより固定されているので、中空部材どうしの接合強度がさほど強くなく、中空部材どうしを引き離す方向に比較的強い力が作用したり、中空部材が熱膨張したりすると、圧入接合部材が外れて中空部材どうしの接合が外れてしまうという可能性があった。
【０００７】
本発明は上記事情に鑑みてなされたものであり、内部に軸方向に延在する中空部を有する中空部材どうしを交差させて強固かつ容易に接合できるような中空部材、中空部材の接合構造および接合方法を提供することを課題としている。
【課題を解決するための手段】
【０００８】
上記課題を解決するために、請求項１に記載の発明は、例えば図２および図３に示すように、内部に軸方向に延在する中空部１１ａを有する中空部材本体１１と、この中空部材本体１１の内部に軸方向に延在するようにして形成されて、前記中空部１１ａを二分する仕切壁１２とを備えた中空部材であって、
前記仕切壁１２は、中空部材本体１１の厚さ方向における中心部Ｔから偏心して形成されており、
前記中空部材本体１１には、切欠き深さｄが該中空部材本体１１の厚さＤの半分と等しい切欠部１４が、前記中空部材本体１１の厚さ方向における中心部Ｔより前記仕切壁１２がない側を切り欠くことによって形成されていることを特徴とする。
【０００９】
ここで、中空部材としては、筒状のものが挙げられるが、形状は円筒状であってもよいし、角筒状であってもよい。
【００１０】
請求項１に記載の中空部材によれば、中空部材１０，１０どうしを交差させてそれらの切欠部１４，１４において相欠き接ぎすると、一方の中空部材１０の切欠部１４に露出する仕切壁１２と、他方の中空部材１０の切欠部１４に露出する仕切壁１２とが互いに近接もしくはほぼ当接して対向配置される。したがって、これら仕切壁１２，１２どうしを連結部材１５によって連結することができ、よって中空部材１０，１０どうしを交差させて強固かつ容易に接合できる。
【００１１】
なお、中空部材１０，１０どうしを交差させる場合は、直交させて交差させる場合と、それ以外で交差させる場合とがあるが、いずれの場合でも中空部材１０，１０どうしを交差させて強固かつ容易に接合できる。
【００１２】
また、切欠部１４の幅Ｗ１は中空部材１０の幅Ｗと等しく設定するのが望ましい。
【００１３】
請求項２に記載の発明は、請求項１に記載の中空部材において、
前記中空部材本体１１の中空部１１ａのうち、前記中空部材本体１１の厚さ方向における中心部Ｔより前記仕切壁１２がない側には、中空部材本体１１の軸方向に延在する補強壁１３が形成されていることを特徴とする。
【００１４】
請求項２に記載の発明によれば、中空部材１０，１０どうしを相欠き接ぎするために、これら中空部材１０，１０に切欠部１４，１４を形成しても、補強壁１３によって切欠部以外の部分が補強されているので、中空部材１０の強度低下を防止できる。
【００１５】
また、切欠部１４を形成した際に、切欠部１４に補強壁１３の切断面が形成されるので、中空部材１０，１０どうしを交差させてそれらの切欠部１４，１４において相欠き接ぎする際に、補強壁１３の切断面が中空部材１０の側面に当接するので、より安定的に相欠き接ぎできる。
【００１６】
請求項３に記載の発明は、請求項１または２に記載の中空部材において、
セルロース系微粉粒と樹脂とを混合して押出成形したものであることを特徴とする。
【００１７】
ここで、前記セルロース系微粉粒とは、例えば、廃材等の木材の粗粉砕物、バカスの祖粉砕物、稲藁の粗粉砕物等における各種植物細胞体の原料材粗粉砕物を出発原料とし、これを磨砕処理することによって得ることができる。
【００１８】
磨砕処理とは、粉砕処理と研磨処理とを併せ持つ処理を言うものであり、これら粉砕処理と研磨処理とを同時に行う処理であっても、粉砕処理を行った後、研磨処理を行う二工程からなる処理であってもよい。すなわち、ここで言う磨砕処理とは、後述するように、粗粉砕物から微粉砕物にする粉砕処理と、微粉際された粉粒を、繊維状態のものが絡み合い、その表面が繊毛で覆われている状態の粉粒形状から、表面に繊毛が少ない状態となるように表面研磨する研磨処理とを併せた処理を指している。
【００１９】
前記セルロース系微粉粒は、上記のように磨砕処理により粒径状に形成されることで、通常の木粉のような繊毛上の突出部分が少なくなり、水（湿気を含む）や溶剤などを吸着しにくくなっている。
【００２０】
また、前記樹脂とは、硬質樹脂や軟質樹脂のことであり、塩化ビニル樹脂、発泡塩化ビニル樹脂、ポリエチレン樹脂、ポリプロピレン樹脂、フェノール樹脂、ウレタン樹脂、ポリウレタン樹脂、ＡＢＳ樹脂、ポリスチレン樹脂等が用いられるが、中でも塩化ビニル樹脂、ポリエチレン樹脂、ポリプロピレン樹脂が、成形部材を形成するには好適である。また、樹脂は廃材の樹脂から得るようにしてもよい。
【００２１】
請求項３に記載の発明によれば、中空部材がセルロース系微粉粒と樹脂とを混合して押出成形したものであるので、これら中空部材に防水性、防腐性や木質感を付与することができる。したがって、中空部材どうしを交差させて接合したものにも防水性、防腐性や木質感を付与することができる。
【００２２】
請求項４に記載の発明は、例えば図３および図４に示すように、請求項１〜３のいずれか一項に記載の中空部材１０，１０どうしを交差させて接合する中空部材の接合構造であって、
一方の中空部材１０と他方の中空部材１０とが交差して、それぞれの切欠部１４，１４において相欠き接ぎされており、
前記一方の中空部材１０の切欠部１４に露出する仕切壁１２と、他方の中空部材１０の切欠部１４に露出する仕切壁１２とが連結部材１５によって連結されていることを特徴とする。
【００２３】
請求項４に記載の発明によれば、中空部材１０，１０どうしが交差されてそれぞれの切欠部１４，１４において相欠き接ぎされた状態において、一方の中空部材１０の切欠部１４に露出する仕切壁１２と、他方の中空部材１０の切欠部１４に露出する仕切壁１２とが互いに近接もしくはほぼ当接して対向配置され、これら仕切壁１２，１２どうしが連結部材１５によって連結されているので、中空部材１０，１０どうしを交差させて強固かつ容易に接合できる。
【００２４】
請求項５に記載の発明は、例えば図３〜図５に示すように、請求項４に記載の中空部材の接合構造において、
前記連結部材１５は、前記一方の中空部材１０の切欠部１４に露出する仕切壁１２に固定される固定部１６と、前記他方の中空部材１０の切欠部１４に露出する仕切壁１２に係止する係止部１７とを備えていることを特徴とする。
【００２５】
請求項５に記載の発明によれば、一方の中空部材１０の仕切壁１２に固定部１６を固定した連結部材１５の係止部１７を他方の中空部材１０の仕切壁１２に係止することによって、容易に中空部材１０，１０どうしを接合できる。
【００２６】
請求項６に記載の発明は、例えば図３および図４に示すように、請求項１〜３のいずれか一項に記載の中空部材どうしを交差させて接合する中空部材の接合方法であって、
まず、一方の中空部材１０の切欠部１４に露出する仕切壁１２に連結部材１５の固定部１６を固定するとともに、他方の中空部材１０の切欠部１４に露出する仕切壁１２に、前記連結部材１５の係止部１７が係止する被係止部（孔）２２を設けておき、
前記一方の中空部材１０と他方の中空部材１０とを交差して、それぞれの切欠部１４，１４において相欠き接ぎするに際し、
一方の中空部材１０の切欠部１４に露出する仕切壁１２に固定部１６が固定された連結部材１５の係止部１７を、他方の中空部材１０の切欠部１４に露出する仕切壁１２に設けられた被係止部２２に係止することを特徴とする。
【００２７】
請求項６に記載の発明によれば、一方の中空部材１０と他方の中空部材１０とを交差して、それぞれの切欠部１４，１４において相欠き接ぎするに際し、一方の中空部材１０の仕切壁１２に固定部１６が固定された連結部材１５の係止部１７が他方の中空部材１０の仕切壁１２に設けられた被係止部２２に係止することによって、相欠き接ぎと同時に中空部材１０，１０どうしを連結部材１５によって連結できる。
【発明の効果】
【００２８】
請求項１に記載の発明によれば、中空部材に形成された切欠部に露出する仕切壁どうしを連結部材によって連結することができるので、中空部材どうしを交差させて強固かつ容易に接合できる。
【００２９】
請求項２に記載の発明によれば、補強壁によって切欠部以外の部分が補強されているので、中空部材の強度低下を防止できる。
【００３０】
また、中空部材どうしを交差させてそれらの切欠部において相欠き接ぎする際に、補強壁の切断面が中空部材の側面に当接するので、より安定的に相欠き接ぎできる。
【００３１】
請求項３に記載の発明によれば、中空部材がセルロース系微粉粒と樹脂とを混合して押出成形したものであるので、これら中空部材に防水性、防腐性や木質感を付与することができる。したがって、中空部材どうしを交差させて接合したものにも防水性、防腐性や木質感を付与することができる。
【００３２】
請求項４に記載の発明によれば、中空部材どうしが相欠き接ぎされた状態において、一方の中空部材の切欠部に露出する仕切壁と、他方の中空部材の切欠部に露出する仕切壁とが互いに近接もしくはほぼ当接して対向配置され、これら仕切壁どうしが連結部材によって連結されているので、中空部材どうしを交差させて強固かつ容易に接合できる。
【００３３】
請求項５に記載の発明によれば、一方の中空部材の仕切壁に固定した連結部材の係止部を他方の中空部材の仕切壁に係止することによって、容易に中空部材どうしを接合できる。
【００３４】
請求項６に記載の発明によれば、一方の中空部材と他方の中空部材とを相欠き接ぎするに際し、一方の中空部材の仕切壁に固定された連結部材が他方の中空部材の仕切壁に設けられた被係止部に係止することによって、相欠き接ぎと同時に中空部材どうしを連結部材によって連結できる。
【発明を実施するための最良の形態】
【００３５】
以下、図面を参照して本発明の実施の形態について説明する。
【００３６】
図１は、本発明に係る中空部材を用いて組立てたフェンスをデッキ上に設けた状態を示す側面図である。
【００３７】
この図において、符号１はデッキを示す。このデッキ１は、住宅等の建物に隣接して設置されたものであり、例えば建物の開口部から住人等が出入りできるようなものである。
【００３８】
デッキ１の下方には、独立基礎２が複数設置されており、各独立基礎２には床束３が立設されている。この床束３は上下に長さが調整可能となっており、その上端部で大引４を支持している。そして、大引４によってデッキ１が下方から支持されている。
【００３９】
なお、前記デッキ１は複数の床材を並設することによって構成されてている。この床材は押出成形によって形成された帯板状のものであり、その内部には中空部を有している。また、床材は木質の廃材から得られたセルロース系微粉粒と樹脂廃材から得られた樹脂とを混合して押出成形したものである。
【００４０】
デッキ１上には、柱５が複数立設されており、隣り合う柱５，５間にフェンス６が配置され、該フェンス６は柱５，５によって支持されている。フェンス６は、柱５，５の上端部間と下端部間とにそれぞれ架設された上梁材７ａ、下梁材７ｂと、これら上下の梁材７ａ，７ｂ間に配置されて該梁材７ａ，７ｂに取付けられた格子状のフェンス本体８とによって構成されている。
【００４１】
フェンス本体８は、複数の中空部材１０を縦横に交差させて接合することによって格子状に形成されたものである。
【００４２】
中空部材１０は、木質の廃材から得られたセルロース系微粉粒と樹脂廃材から得られた樹脂とを混合して押出成形したものであり、縦横の双方とも同断面形状をなしている。また、中空部材１０は、図２に示すように、内部に軸方向に延在する中空部１１ａを有している四角筒状の中空部材本体１１と、この中空部材本体の内部に軸方向に延在するようにして形成されて、前記中空部を二分する仕切壁１２と、中空部材本体１１の軸方向に延在する３つの補強壁１３とを備えている。
【００４３】
前記仕切壁１２は、中空部材本体１１の厚さ方向における中心部Ｔから偏心して形成されている。
【００４４】
また、補強壁１３は、中空部材本体１１の中空部１１ａのうち、中空部材本体１１の厚さ方向における中心部Ｔより仕切壁１２がない側に形成されている。つまり、仕切壁１２によって中空部１１ａが二つの中空部１１ｂ，１１ｃに二分されており、そのうちの中空部１１ｂ側に位置する中空部材本体１１の互いに直角な３つ内壁面に、それぞれ補強壁１３が形成されている。
【００４５】
上記のような中空部材１０を縦横に交差させてフェンス本体８が形成されるのであるが、各中空部材１０の中空部材本体１１には、各交差位置において切欠部が形成されている。
【００４６】
すなわち、図３は中空部材１０の交差位置の部分を示すものであり、この図に示すように、中空部材１０の中空部材本体１１には、切欠き深さｄが該中空部材本体１１の厚さＤの半分と等しい矩形の切欠部１４が、前記中空部材本体１１の厚さ方向における中心部より前記仕切壁１２がない側を切り欠くことによって形成されている。また、切欠部１２はその幅Ｗ１が、中空部材本体１１の幅Ｗと等しくなるように形成されている。
【００４７】
したがって、中空部材本体１１の切欠部１４においては、仕切壁１２が露出しているとともに、前記補強壁１３の一部が切断されて、除去されている。
【００４８】
上記のように切欠部１４，１４がそれぞれ形成された縦横の中空部材１０，１０は、図３および図４に示すように、一方の中空部材１０と他方の中空部材１０とが交差して、それぞれの切欠部１４，１４において相欠き接ぎされている。この状態において、一方の中空部材１０の仕切壁１４と他方の中空部材１０の仕切壁１４とは、近接して互いに対向して配置されている。
【００４９】
そして、これら仕切壁１４，１４どうしが連結部材１５によって以下のようにして連結されている。
【００５０】
すなわちまず、連結部材１５は、図３、図４、図５（ａ）〜図５（ｃ）に示すように、一方の中空部材（図３において縦方向の中空部材）１０の切欠部１４に露出する仕切壁１２に固定される固定部１６と、他方の中空部材（図３において横方向の中空部材）１０の切欠部１４に露出する仕切壁１２に係止する係止部１７とを備えている。
【００５１】
固定部１６は、円筒状の固定部本体１６ａと、この固定部本体１６ａの基端部に形成された円板状のフランジ部１６ｂとによって構成されている。そして、このフランジ部１６ｂが一方の中空部材（図３において縦方向の中空部材）１０の切欠部１４に露出する仕切壁１２に固定されるようになっている。
【００５２】
また、固定部本体１６ａの外周壁のうち、径方向において互いに対向する部位には略コ字状のスリット１６ｃが形成されており、このスリット１６ｃの内側にある壁部が係止部１７とされている。この係止部１７は固定部本体１６ａの外周面から外側に突出しており、固定部本体１６ａの内側に弾性的に撓めるようになっている。つまり、係止部１７を外側から内側に向けて押圧すると、係止部１７は内側に弾性的に撓み、押圧力が解除されると弾性復帰して固定部本体１６ａより外側に突出するようになっている。なお、係止部１７は前記仕切壁１２に係止する部分が鋸歯状に形成されている。
【００５３】
一方、前記一方の中空部材（図３において縦方向の中空部材）１０の切欠部１４に露出する仕切壁１２には、図３および図４に示すように、孔２０が形成されている。そして、この孔２０が形成された仕切壁１２に連結部材１５のフランジ部１６ｂを当接し、固定部本体１６ａの先端開口から木ネジ２１を挿入し、フランジ部１６ｂを貫通して、孔２０にねじ込むことによって、連結部材１５が仕切壁１２に固定されている。
【００５４】
また、他方の中空部材（図３において横方向の中空部材）１０の切欠部１４に露出する仕切壁１２には、孔２２が形成されている。この孔２２は連結部材１５の固定部本体１６ａとほぼ同じ直径か若干大きめに形成されたものであり、この孔２２に固定部本体１６ａが挿入されたうえで、係止部１７が孔２２の周囲の仕切壁１２に係止することによって、連結部材１５が仕切壁１２に係止されている。
【００５５】
このように連結部材１５によって、一方の中空部材１０の切欠部１４に露出する仕切壁１２と、他方の中空部材１０の切欠部１４に露出する仕切壁１２とが連結されている。
【００５６】
また、中空部材１０，１０どうしを交差させて接合する場合は以下のような方法で接合する。
【００５７】
すなわちまず、一方の中空部材（図３において縦方向の中空部材）１０の切欠部１４に露出する仕切壁１２に連結部材１５の固定部１６を固定する。この場合、固定部本体１６ａの先端開口から木ネジ２１を挿入し、フランジ部１６ｂを貫通して、孔２０にねじ込むことによって、固定部１６を固定する。
【００５８】
一方、他方の中空部材図３において横方向の中空部材）１０の切欠部１４に露出する仕切壁１２に、連結部材１５の係止部１７が係止する被係止部として孔２２を形成しておく。
【００５９】
次に、一方の中空部材１０と他方の中空部材１０とを交差して、それぞれの切欠部において相欠き接ぎするに際し、一方の中空部材１０の仕切壁１２に固定部１６が固定された連結部材１５の係止部１７を、他方の中空部材１０の仕切壁１２に形成された孔（被係止部）２２に係止する。
【００６０】
この場合、一方の中空部材１０の切欠部１４と他方の中空部１０の切欠部１４とを相欠き接ぎする際に、連結部材１５の固定部本体１６ａが孔２２に挿入される。このとき、係止部１７，１７が孔２２の内周壁によって内側に押圧されて撓み、係止部１７，１７が孔２２を抜け出たところで、弾性復帰して外側に突出して、孔２２の周囲の仕切壁１２に係止する。
【００６１】
このようにして、中空部材１０，１０どうしをそれぞれの切欠部１４，１４において相欠き接ぎすると同時に、仕切壁１２，１２どうしを連結部材１５によって連結する。
【００６２】
本実施の形態によれば、中空部材１０，１０どうしを交差させてそれらの切欠部１４，１４において相欠き接ぎする際に、仕切壁１２，１２どうしを連結部材１５によって連結することができる。したがって、中空部材１０，１０どうしを交差させて強固かつ容易に接合できる。
【００６３】
また、中空部材１０，１０どうしが相欠き接ぎされた状態において、一方の中空部材１０の切欠部１４に露出する仕切壁１２と、他方の中空部材１０の切欠部１４に露出する仕切壁１２とが互いに近接して対向配置されるので、これら仕切壁１２，１２どうしを連結部材１５によって連結できる。
【００６４】
また、中空部材本体１１の厚さ方向における中心部Ｔより前記仕切壁１２がない側には、中空部材本体１１の軸方向に延在する補強壁１３が形成されているので、中空部材１０，１０どうしを相欠き接ぎするために、これら中空部材１０，１０に切欠部１４，１４を形成しても、補強壁１３によって切欠部１４以外の部分が補強されているので、中空部材１０の強度低下を防止できる。
【００６５】
さらに、連結部材１５が、固定部１６と係止部１７とを備えているので、一方の中空部材１０の仕切壁１２に固定部１６を固定した連結部材１５の係止部１７を他方の中空部材１０の仕切壁１２に係止することによって、容易に中空部材１０，１０どうしを接合できる。
【００６６】
加えて、一方の中空部材１０の仕切壁１２に固定部１６が固定された連結部材１５の係止部１７が他方の中空部材１０の仕切壁１２に設けられた被係止部（孔）２２に係止することによって、相欠き接ぎと同時に中空部材１０，１０どうしを連結部材１５によって連結できる。
【００６７】
中空部材１０の切欠部１４に補強壁１３の切断面が形成されるので、中空部材１０，１０どうしを交差させてそれらの切欠部１４，１４において相欠き接ぎする際に、補強壁１３の切断面が中空部材１０の側面に当接するので、より安定的に相欠き接ぎできる。
【００６８】
また、中空部材１０がセルロース系微粉粒と樹脂とを混合して押出成形したものであるので、これら中空部材に防水性、防腐性や木質感を付与することができる。したがって、中空部材どうしを交差させて接合したものにも防水性、防腐性や木質感を付与することができる。
【００６９】
なお、本実施の形態では、本発明に係る中空部材１０や接合構造について、フェンス本体８を形成するのに使用した場合を例にとって説明したが、フェンス以外でも、中空部材１０を交差させて接合する構造やその構造を備えた物にも適用できるのは勿論のことである。
【００７０】
また、本実施の形態では、連結部材１５の固定部１６を、固定部本体１６ａと、この固定部本体１６ａの基端部に形成されたフランジ部１６ｂとによって構成し、木ネジ２１によって固定したが、図６に示すように、連結部材１５の固定部１６を、フランジ部１６ｂを挟んで形成された一対の固定部本体１６ａ，１６ａによって構成し、固定部本体１６ａに形成された係止部１７によって仕切壁１２に係止固定してもよい。この場合、仕切壁１２，１２の双方に、固定部本体１６ａが挿通される孔２２を形成しておけばよい。
【図面の簡単な説明】
【００７１】
【図１】本発明に係る中空部材を用いて組立てたフェンスをデッキ上に設けた状態を示す側面図である。
【図２】本発明に係る中空部材の一例を示すもので、その横断面図である。
【図３】同、切欠部が形成された部分を示す要部の斜視図である。
【図４】本発明に係る中空部材の接合構造の一例を示すもので、その断面図である。
【図５】同、連結部材を示すもので、（ａ）は側面図、（ｂ）は正面図、（ｃ）は底面図である。
【図６】本発明に係る中空部材の接合構造の他の例を示すもので、その断面図である。
【符号の説明】
【００７２】
１０  中空部材
１１  中空部材本体
１１ａ  中空部
１２  仕切壁
１３  補強壁
１４  切欠部
１５  連結部材
１６  固定部
１７  係止部
２２  孔（被係止部）
【図１】
2005023759.tif 000003
【図２】
2005023759.tif 000004
【図３】
2005023759.tif 000005
【図４】
2005023759.tif 000006
【図５】
2005023759.tif 000007
【図６】
2005023759.tif 000008